(57)【特許請求の範囲】
【請求項１】
上下方向に立設された長尺部材からなるスタンド本体と、このスタンド本体に上下方向移動自在に支持され、その上端部側に重量物が設けられる移動部材と、を備えてなり、
これらスタンド本体と移動部材とは、超弾性合金からなりその一端部が前記長尺部材に固定されるとともに他端部が前記移動部材に固定された線状部材のみによって相互に連結され、前記長尺部材には、前記超弾性合金からなる線状部材の余長部分を卷回する卷回部が２又はそれ以上設けられ、前記線状部材をその弾性歪み範囲内で伸縮させることによって、前記移動部材を上方向に付勢して前記重量物の高さを調節可能としたことを特徴とするスタンド装置。
【請求項２】
前記卷回部には、前記超弾性合金からなる線状部材を卷回するための滑車が回転自在に取り付けられていることを特徴とする請求項１記載のスタンド装置。
【発明の詳細な説明】
【０００１】
【発明の属する技術分野】
本発明は、重量物、例えばＰＤＰ画面やＣＲＴ画面等の映像ディスプレイ装置を高さ調節可能なように支持するスタンド装置に関する。
【０００２】
【従来の技術】
近年、ＰＤＰ画面やＣＲＴ画面などの映像ディスプレイ装置は、映像の迫力や見易さの点から、大画面のものが要望されるようになっている。それに伴い、こうした映像ディスプレイ装置の高さを、見る人の位置によって調節可能とするようなスタンド装置も要望されており、様々な種類ものが販売されている。
【０００３】
大画面の映像ディスプレイ装置等は大変な重量物であり、一般的な人の力では簡単に上下移動させられるものではない。そのため、スタンド装置には、軽い力で上下移動させ高さ調節ができるように、ぜんまいやコイルばねを内蔵させて重量物を上方向に付勢したり、あるいは、自動的に上下移動させられるように、油圧、空気圧または電動の機構を内蔵させることが行われてきた。
【０００４】
【発明が解決しようとする課題】
しかし、こうした重量物にコイルばね等を用いて適正な付勢力を与えるためには、相当大きなものを用いなくてはならず、スタンド装置全体が大型化してしまう。また、ばねの付勢力はその伸縮した距離にほぼ比例するので、重量物が上下移動範囲のどの位置にあるかによって、要する人力が著しく異なるという欠点がある。
一方、油圧、空気圧または電動の機構を用いた場合は、上下移動が自動化されて便利ではあるが、機構が大変複雑にるため、製造コストが高くなるとともにメンテナンスが困難になるという欠点がある。
【０００５】
本発明は、上記の事情に鑑みてなされたもので、装置を大型化・複雑化させることなく、安価で、しかもほぼ一定の人力で重量物の高さ調節を可能とするスタンド装置を提供することを目的とする。
【０００６】
【課題を解決するための手段】
請求項１記載の発明は、スタンド装置であって、上下方向に立設された長尺部材からなるスタンド本体と、このスタンド本体に上下方向移動自在に支持され、その上端部側に重量物が設けられる移動部材と、を備えてなり、これらスタンド本体と移動部材とは、超弾性合金からなりその一端部が前記長尺部材に固定されるとともに他端部が前記移動部材に固定された線状部材のみによって相互に連結され、前記長尺部材には、前記超弾性合金からなる線状部材の余長部分を卷回する卷回部が２又はそれ以上設けられ、前記線状部材をその弾性歪み範囲内で伸縮させることによって、前記移動部材を上方向に付勢して前記重量物の高さを調節可能としたことを特徴とする。
【０００７】
このスタンド装置においては、超弾性合金からなる線状部材のもつ特性を利用して、重量物を支持し、かつ、上方向に付勢するようにしている。そのため、コイルばね等を用いた場合と比較して、装置を小型化・簡略化できるとともに、ほぼ一定の人力で重量物を上下移動させることができる。
【０００９】
また、超弾性合金からなる線状部材の長さを、所定の伸びを得るために長く設定しても、その余長部分を装置内に卷回させて収納しておくことができる。そのため、線状部材の本数、長さあるいは線径を変更するだけで、重量物を移動させたい範囲を任意に設定することができる。
【００１０】
請求項２記載の発明は、請求項１記載のスタンド装置であって、前記卷回部には、前記超弾性合金からなる線状部材を卷回するための滑車が回転自在に取り付けられていることを特徴とする。
【００１１】
このスタンド装置においては、線状部材が伸縮した際にも、線状部材と卷回部との間に生じる摩擦抵抗を極力抑えることができるので、重量物を滑らかに上下移動させることができるとともに、線状部材の磨耗を極力抑えることができる。
【００１２】
【発明の実施の形態】
以下、本発明に係る一実施形態を、図面に基づいて説明する。
図１は、本実施形態に係るスタンド装置１１の側断面図、図２は、図１におけるスタンド装置１１をＡ−Ａ線側からみた断面図であり、図３は、図１におけるスタンド装置１１をＢ−Ｂ線側からみた断面図である。
これらの図に示すように、このスタンド装置１１は、スタンド本体１２と、移動部材１３からなる。
【００１３】
スタンド本体１２は、ベース２１と、このベース２１上に上下方向に立設された長尺部材２２からなる。
ベース２１は、スタンド装置１１を、床面等の上に安定して設置させるためのものである。
長尺部材２２は、上端部側が開口した筒状で略矩形状の部材であり、移動部材１３を上下方向移動自在に支持させるためのものである。
【００１４】
長尺部材２２の内部には、超弾性ワイヤ（超弾性合金からなる線状部材）１の一端部を固定させるためのワイヤ固定部２ａと、超弾性ワイヤ１を卷回させるための上下一対の卷回部３、４、及び移動部材１３の前後方向及び左右方向への動きを禁止させるためのレール２３が設けられている。
【００１５】
卷回部３は、滑車５ａ、５ｂ、５ｃ、５ｄと、長尺部材２２側に固定され滑車５ａ、５ｂ、５ｃ、５ｄを回転自在に支持する滑車固定軸７からなる。
滑車固定軸７は、長尺部材２２の長手方向に対する横方向（左右方向）に延在する棒状の部材であり、その両端部において長尺部材２２に固定されている。また、滑車固定軸７は、滑車５ａ、５ｂ、５ｃ、５ｄを、全て同一の軸線をもって各々の滑車が相互に独立して回転でき、且つ、これら滑車の横方向（回転軸線方向）への動きを禁止するようにして、支持している。
【００１６】
卷回部４も、卷回部３と同様に、滑車６ａ、６ｂ、６ｃ、６ｄと、長尺部材２２側に固定され滑車６ａ、６ｂ、６ｃ、６ｄを回転自在に支持する滑車固定軸８からなる。
滑車５ａ、５ｂ、５ｃ、５ｄと滑車６ａ、６ｂ、６ｃ、６ｄは同様の構成であり、また、滑車固定軸７と滑車固定軸８も同様の構成であるので、これらの説明は省略する。
【００１７】
ワイヤ固定部２ａは、長尺部材２２の上端部近傍において、後方側（移動部材１３側）に向けて突設された剛体の部材であり、その先端部に超弾性ワイヤ１を掛けられるようになっている。
また、レール２３は、長尺部材２２の長手方向に平行に延在する棒状の部材であって、その両端部において長尺部材２２に固定されている。移動部材１３に設けられたスライド部１５を、その長手方向に対し移動自在に支持するようになっている。
【００１８】
移動部材１３は、長尺部材２２の内部において支持され、その上部側が長尺部材２２の上端部側開口部から突出して上下方向移動自在とされている。この移動部材３の上端部側には、映像ディスプレイ装置（重量物）１４が固定されて設けられている。
【００１９】
移動部材１３には、超弾性ワイヤ１の他端部を固定させるためのワイヤ固定部２ｂと、レール２３に上下方向移動自在に支持されるスライド部１５を備えている。
ワイヤ固定部２ｂは、移動部材１３の下端部近傍において、前方側（卷回部３、４側）に向けて突設された剛体の部材であり、その先端部に超弾性ワイヤ１を掛けられるようになっている。
スライド部１５は、レール２３に支持され、移動部材１３を上下方向へは移動自在に、前後方向及び左右方向へはその動きを禁止するように支持するための部材である。スライド部１５のレール２３に当接する側には、スライドベアリング等が設けられており、レール２３上を滑らかに移動できるようになっている。
【００２０】
超弾性ワイヤ１は、超弾性合金からなる線状の部材であり、２本使用する。
ここで、超弾性合金について説明する。
この超弾性合金としては、Ｎｉ−Ｔｉ合金、Ｎｉ−Ｔｉ−Ｃｏ合金、Ｎｉ−Ｔｉ−Ｃｕ合金等があり、例えば商品名「ＫＩＯＫＡＬＬＯＹ」（大同特殊鋼株式会社製品）が挙げられる。弾性変形（歪み）範囲が非常に高い（約８％）点が特徴である。
【００２１】
超弾性合金と鉄の応力−歪み特性の比較を、図４に示す。
図４（ａ）は、は、ＮＩ−Ｔｉ合金の応力−歪み曲線を示すグラフ図、図４（ｂ）は、通常の鉄の応力−歪み曲線を示すグラフ図である。
図４（ｂ）に示すように、鉄の場合の弾性歪み範囲は、約０．５％である。この点を超えて応力を加えると塑性変形し、応力を除いても元の形には戻らなくなり、永久変形を起こしてしまう。
これに対しＮｉ−Ｔｉ合金の場合には、図４（ａ）に示すように、約８％迄は弾性歪み範囲である。この範囲内であれば、応力を加えて変形させても、応力を除くと元の形に戻り、永久変形は起こさない。。
このように、超弾性合金は、金属としての強度や耐久性といった特性を持ちつつ、弾性体ともいえる特性をも併せ持っている。そのため、ばね等よりも単位断面積あたりの荷重を大きくすることができ、重量物を弾性的に支持するという用途に適している。
【００２２】
この超弾性ワイヤ１の両端部は、カシメにより輪状とされ、一端部はワイヤ固定部２ａに、他端部はワイヤ固定部２ｂに各々掛けられ、長尺部材２２と移動部材１３とを連結するようになっている。
【００２３】
２本の超弾性ワイヤ１のうちの一方は、ワイヤ固定部２ａからワイヤ固定部２ｂに至る間に、滑車６ｂ、５ｂ、６ａ、５ａにこの順で各々に卷回されている。また、超弾性ワイヤ１の他方は、ワイヤ固定部２ａからワイヤ固定部２ｂに至る間に、滑車６ｃ、５ｃ、６ｄ、５ｄにこの順で各々に卷回されている。
このように、超弾性ワイヤ１が伸縮しても、それに伴い滑車５ａ〜５ｄ、６ａ〜６ｄを回転させ、摩擦抵抗を殆ど生じさせないように構成されている。
【００２４】
なお、図示は省略するが、長尺部材２２には、移動部材１３を固定する固定機構が設けられている。この固定機構は、移動部材１３の高さ調節をした後に、その位置に移動部材１３を固定させておくためのものである。この趣旨を逸脱しない範囲のものであればよく、無段階調整式でも段階調整式でもよい。
【００２５】
このスタンド装置１１においては、移動部材１３の高さを、上限位置ａと下限位置ｂとの間において調節可能なようにされている。このとき、超弾性ワイヤ１は、上限位置ａ−下限位置ｂ間の伸縮が弾性変形可能な範囲（弾性歪み範囲）内となるように、その長さ及び線径が設定されている。
上限位置ａにおいては、移動部材１３には、映像ディスプレイ装置１４及び移動部材１３自身の重力が下方向に働いているが、超弾性ワイヤ１の延びによる復元力（付勢力）が上方向に働いている。そのため、移動部材１３または映像ディスプレイ装置１４に対し、下方向への軽い人力を加えるだけで、簡単に映像ディスプレイ装置１４を下方向へ移動させることができる。
また、下限位置ｂにおいては、超弾性ワイヤ１の延びは最大となり、復元力（付勢力）も最大となる。そのため、上方向への軽い人力を加えるだけで、簡単に映像ディスプレイ装置１４を上方向へ移動させることができる。
【００２６】
このようにして、上限位置ａ−下限位置ｂ間においては、上方向あるいは下方向に軽い人力を加えるだけで、映像ディスプレイ装置１４を簡単に上下移動させることができ、望みの位置に高さを調節した後に固定機構により固定するだけで、映像ディスプレイ装置１４の高さ調節が行える。
【００２７】
以上説明したように、本実施形態に係るスタンド装置によれば、超弾性ワイヤ１のもつ特性を利用して、映像ディスプレイ装置１４を支持し、かつ、上方向に付勢するようにしているので、スタンド装置１１を小型化・簡略化できるとともに、ほぼ一定の人力で映像ディスプレイ装置１４を上下移動させ、高さ調節を行うことができる。
また、超弾性ワイヤ１の余長部分を、卷回部３及び４に卷回しておけるので、超弾性ワイヤ１の長さまたは線径を変更するだけで、高さ調節を行いたい範囲を、任意に設定することができる。
更に、卷回部３には滑車５ａ、５ｂ、５ｃ、５ｄが、卷回部４には滑車６ａ、６ｂ、６ｃ、６ｄが各々設けられており、超弾性ワイヤ１を卷回するようにしているので、超弾性ワイヤ１が伸縮しても、超弾性ワイヤ１と卷回部３、４との間に生じる摩擦抵抗を極力抑えることができ、映像ディスプレイ装置１４を滑らかに上下移動させて高さ調節が行えるとともに、超弾性ワイヤ１の磨耗を極力抑えることができる。
【００２８】
なお、上記実施の形態においては、映像ディスプレイ装置を支持する場合についてのみ説明したが、これに限定されるものではない。他の用途としては、例えば表示灯、案内板、反射鏡などが考えられるが、これらに応用しても差し支えない。
また、超弾性ワイヤを２本用いた場合についてのみ説明したが、用途や安全性に応じて適宜本数は変更可能なものである。卷回部の構成、形状等も、使用する超弾性ワイヤの本数等に応じて適宜変更可能なことは言うまでもない。
その他、本発明の趣旨を逸脱しない範囲内であれば、適宜設計変更が可能である。例えば、映像ディスプレイ装置等の重量物を、移動部材の側部に固定させてもよい。
【００２９】
【発明の効果】
以上説明したように、本発明に係るスタンド装置においては、超弾性合金からなる線状部材を用いて、重量物を高さ調節可能なように支持するように構成しているので、装置を大型化・複雑化させることなく、安価で、しかもほぼ一定の人力で重量物の高さ調節を可能とすることができる。
【図面の簡単な説明】
【図１】本発明の一実施形態に係るスタンド装置の側断面図である。
【図２】図１におけるスタンド装置をＡ−Ａ線側からみた断面図である。
【図３】図１におけるスタンド装置をＢ−Ｂ線側からみた断面図である。
【図４】鉄と超弾性合金の応力−歪み特性を比較するためのグラフ図である。（ａ）は、ＮＩ−Ｔｉ合金の応力−歪み曲線を示すグラフ図、（ｂ）は、通常の鉄の応力−歪み曲線を示すグラフ図である。
【符号の説明】
１  超弾性ワイヤ（超弾性合金からなる線状部材）
３、４  卷回部
５ａ、５ｂ、５ｃ、５ｄ、６ａ、６ｂ、６ｃ、６ｄ  滑車
１１  スタンド装置
１２  スタンド本体
１３  移動部材
１４  映像ディスプレイ装置（重量物）
２２  長尺部材
【図１】
0003566132.tif 000002
【図２】
0003566132.tif 000003
【図３】
0003566132.tif 000004
【図４】
0003566132.tif 000005